(57)【要約】【課題】大気中の埃や花粉を吸い込みながら身体に付着した埃や花粉を除去するため、せっかく身体に付着した埃や花粉を除去しても、除去している最中に新たに大気中の埃や花粉が身体に付着するという課題があった。【解決手段】ファンモーター１０を有した送風装置８と、吹出し孔２９を有するノズル部２８と、送風装置８とノズル部２８とを連通させる可とう性を有する送風ダクト２３を設けたことにより、除去している最中に新たに大気中の埃や花粉が身体に付着しない出入り口払い落とし装置を得られる。【選択図】図２
2007275836.tif 000002
【特許請求の範囲】
【請求項１】
ファンモーターを有した送風装置と、吹出し孔を有するノズル部と、前記送風装置と前記ノズル部とを連通させる可とう性を有する送風ダクトを設けたことを特徴とした出入り口払い落とし装置。
【請求項２】
送風装置内あるいはノズル部内にヒーターユニットを設けたことを特徴とした請求項１記載の出入り口払い落とし装置。
【請求項３】
ファンモーターをブラシレスモーターとしたことを特徴とした請求項１および２記載の出入り口払い落とし装置。
【請求項４】
送風装置内の流路に集塵フィルターを設けたことを特徴とした請求項１および２記載の出入り口払い落とし装置。
【請求項５】
ファンモーターの下流側に集塵フィルターを設けたことを特徴とした請求項４記載の出入り口払い落とし装置。
【請求項６】
集塵フィルターを、送風装置から着脱自在としたことを特徴とした請求項４および５記載の出入り口払い落とし装置。
【請求項７】
集塵フィルターを、プリーツ状に折りたたんで形成したことを特徴とした請求項４〜６のいずれかに記載の出入り口払い落とし装置。
【請求項８】
集塵フィルターを、金属製の網または金属製の多孔性の板で形成されたことを特徴とした請求項４〜７のいずれかに記載の出入り口払い落とし装置。
【請求項９】
集塵フィルターの目または孔の大きさを、１５〜３０マイクロメートルの大きさに形成されたことを特徴とした請求項８記載の出入り口払い落とし装置。
【請求項１０】
ノズル部に設けた吹出し孔の周囲に、弾性を有するブラシを設けたことを特徴とした請求項１および２記載の出入り口払い落とし装置。
【請求項１１】
ノズル部に櫛部を設け、その先端または先端側面に吹出し孔を設けたことを特徴とした請求項１、２、１０のいずれかに記載の出入り口払い落とし装置。
【請求項１２】
ノズル部に、電源スイッチ・風量可変スイッチの両方、またはいずれか単独で設けたことを特徴とした請求項１、２、１０、１１のいずれかに記載の出入り口払い落とし装置。
【請求項１３】
ノズル部に入／切スイッチを設け、壁または送風装置に取り付けられた係止具に前記ノズル部を係止可能とし、このノズル部を前記係止具に着脱させることにより前記入／切スイッチがＯＮ／ＯＦＦできることを特徴とした請求項１、２、１０〜１２のいずれかに記載の出入り口払い落とし装置。
【請求項１４】
ノズル部に、人体検知手段を設けたことを特徴とした請求項１、２、１０〜１３のいずれかに記載の出入り口払い落とし装置。
【請求項１５】
ノズル部にセンサースイッチを設け、壁または送風装置に取り付けられた係止具に前記ノズル部を係止可能とし、このノズル部を前記係止具に着脱させることにより前記センサースイッチが切り換わり、自動運転と手動運転が切り換わることを特徴とした請求項１４記載の出入り口払い落とし装置。
【請求項１６】
ノズル部を有した風吹出し部を着脱自在とし、用途によって色々な風吹出し部形状を選択できることを特徴とした請求項１、２、１０〜１５のいずれかに記載の出入り口払い落とし装置。
【請求項１７】
風吹出し部の形状をパイプ状とし、表面に複数の吹出し孔を長さ方向に列状に設けるとともに折曲げ自在としたことを特徴とした請求項１、２、１０〜１６のいずれかに記載の出入り口払い落とし装置。
【発明の詳細な説明】
【技術分野】
【０００１】
本発明は、外から帰ってきて家や部屋に入る際、玄関や出入り口で、人や動物の身体や衣服・傘・携帯品などに付着した花粉や埃・ゴミ・水滴を、高速風を当てて払い落とす出入り口払い落とし装置に関する。
【背景技術】
【０００２】
従来、この種の出入り口払い落とし装置としては、例えば、特許文献１および特許文献２に記載された構成のものが開示されている。
【０００３】
図１４および図１５に基づいて、その具体例を説明する。
【０００４】
図１４および図１５に示すように、使用者がスイッチ１０２を操作すると送風機１１５のモーター１１３が駆動され、ファン１１０の回転により本体ケース１０１のフィルター１１４の上流側に、本体ケース１０１の主吸込口としての穴１０３から空気が吸い込まれるとともに、吸込具１０６の副吸込口１０７からホース１０９を介して空気が吸い込まれる。フィルター１１４の上流側に吸い込まれた空気はフィルター１１４を通過し、空気中の粉塵や花粉等が除去されて浄化される。この浄化された空気は、ファンケーシング１１２を介して複数の排気穴１１１から本体ケース１０１外に吹き出される。
【０００５】
この状態で使用者が台部１０４に乗ると、体が正面に形成された穴１０３に近づくようになり、衣服や体から飛散する塵埃や花粉等が叩き落とされる。この叩き落された塵埃や花粉等が穴１０３から吸い込まれるようになる。さらに、保持部１０５に支持された吸込具１０６の取手１０８を持って人体や衣類に近づけると、衣類や人体に付着した塵埃や花粉等が吸込具１０６の副吸込口１０７から吸い込まれる空気の流れに乗って吸込具１０６内に吸い込まれる。吸込具１０６内に吸い込まれた空気は、ホース１０９を介して本体ケース１０１のフィルター１１４の上流側に吸い込まれる。そして、この空気はフィルター１１４を通過する際に、空気中の塵埃や花粉等が除去されて浄化され、穴１０３から吸い込まれて浄化された空気と共にファンケーシング１１２に案内され、排気穴１１１から本体ケース１０１外に吹き出される。すなわち、体に付着した埃や花粉を吸い取り、浄化して排気できるものが開示されている。
【特許文献１】特開２００４−１７４３５６号公報
【特許文献２】登録実用新案第３０４１９０９号公報
【発明の開示】
【発明が解決しようとする課題】
【０００６】
ここで、出入り口払い落とし装置にあっては、体に付着した埃や花粉を本体ケースの表面に開けれた穴から吸い込んだり、本体ケースとホースで連通した吸込具の副吸込口から吸い込む構造であるため、置けるスペースに限りがあるだけでなく、圧迫感を感じたりインテリア性を損なうという課題があった。
【０００７】
また、吸い込みのため、大気中の埃や花粉を吸い込みながら身体に付着した埃や花粉を除去するため、せっかく身体に付着した埃や花粉を除去しても、除去している最中に新たに大気中の埃や花粉が身体に付着するという課題があった。
【０００８】
そこで本発明は、圧迫感やインテリア性を損なうことなく、また高効率で除去性能が高い出入り口払い落とし装置を提供することを目的とする。
【課題を解決するための手段】
【０００９】
本発明の出入り口払い落とし装置は、上記目的を達成するために、ファンモーターを有した送風装置と、吹出し孔を有するノズル部と、前記送風装置と前記ノズル部とを連通させる可とう性を有する送風ダクトを設けたことを特徴としたものである。
【００１０】
また、他の手段は、送風装置内あるいはノズル部内にヒーターユニットを設けたことを特徴としたものである。
【００１１】
また、他の手段は、ファンモーターをブラシレスモーターとしたことを特徴としたものである。
【００１２】
また、他の手段は、送風装置内の流路に集塵フィルターを設けたことを特徴としたものである。
【００１３】
また、他の手段は、ファンモーターの下流側に集塵フィルターを設けたことを特徴としたものである。
【００１４】
また、他の手段は、集塵フィルターを、送風装置から着脱自在としたことを特徴としたものである。
【００１５】
また、他の手段は、集塵フィルターを、プリーツ状に折りたたんで形成したことを特徴としたものである。
【００１６】
また、他の手段は、集塵フィルターを、金属製の網または金属製の多孔性の板で形成されたことを特徴としたものである。
【００１７】
また、他の手段は、集塵フィルターの目または孔の大きさを、１５〜３０マイクロメートルの大きさに形成されたことを特徴としたものである。
【００１８】
また、他の手段は、ノズル部に設けた吹出し孔の周囲に、弾性を有するブラシを設けたことを特徴としたものである。
【００１９】
また、他の手段は、ノズル部に櫛部を設け、その先端または先端側面に吹出し孔を設けたことを特徴としたものである。
【００２０】
また、他の手段は、ノズル部に、電源スイッチ・風量可変スイッチの両方、またはいずれか単独で設けたことを特徴としたものである。
【００２１】
また、他の手段は、ノズル部に入／切スイッチを設け、壁または送風装置に取り付けられた係止具に前記ノズル部を係止可能とし、このノズル部を前記係止具に着脱させることにより前記入／切スイッチがＯＮ／ＯＦＦできることを特徴としたものである。
【００２２】
また、他の手段は、ノズル部に人体検知手段を設けたことを特徴としたものである。
【００２３】
また、他の手段は、ノズル部にセンサースイッチを設け、壁または送風装置に取り付けられた係止具に前記ノズル部を係止可能とし、このノズル部を前記係止具に着脱させることにより前記センサースイッチが切り換わり、自動運転と手動運転が切り換わることを特徴としたものである。
【００２４】
また、他の手段は、ノズル部を有した風吹出し部を着脱自在とし、用途によって色々な風吹出し部形状を選択できることを特徴としたものである。
【００２５】
また、他の手段は、風吹出し部の形状をパイプ状とし、表面に複数の吹出し孔を長さ方向に列状に設けるとともに折曲げ自在としたことを特徴としたものである。
【発明の効果】
【００２６】
本発明によれば、吹き出し方式のため、風圧で払い落とす作用が有る分、吸込み方式より高効率で除去性能が高く、また屋外に設置するため埃や花粉の舞い上がって飛散を防ぐための大掛かりな吸気口を設ける必要が無く、圧迫感やインテリア性を損なわない出入り口払い落とし装置を提供できる。
【００２７】
また、送風装置内あるいはノズル部内にヒーターを設けることで、暖かい吹き出し風をつくることができるため、特に冬でも寒さを感じることのない出入り口払い落とし装置を提供できる。
【００２８】
また、ファンモーターをブラシレスモーターとすることで、モーターのブラシの磨耗によるブラシ（炭素）粉の発生を防ぐことができるため、周囲の空質を悪化させない出入り口払い落とし装置を提供できる。
【００２９】
また、送風装置内の流路に集塵フィルターを設けているため、吹き出し風を浄化（埃や花粉を除去）して吹き出すことができ、吹き出し風の風圧によって除去した後、吹き出し風に含まれた埃や花粉が身体などに再度付着することのない除去性能の高い出入り口払い落とし装置を提供できる。
【００３０】
また、集塵フィルターを送風装置から着脱自在とすることで、集塵フィルターが埃や花粉による目詰まりしても着脱・交換も容易な出入り口払い落とし装置を提供できる。
【００３１】
また、集塵フィルターを、プリーツ状に折りたたんで形成することで、集塵フィルターの集塵面積が増えるため交換周期の長い出入り口払い落とし装置を提供できる。
【００３２】
また、集塵フィルターを、金属製の網または金属製の多孔性の板で形成することで、表面を拭き取ったり洗って再生できるため、集塵フィルターの交換頻度が少なく、ゴミの量も抑えられる出入り口払い落とし装置を提供できる。
【００３３】
また、集塵フィルターの目または孔の大きさを、花粉の大きさより少し小さい大きさに形成することで、極力圧損を減らしても的確に花粉を除去できる出入り口払い落とし装置を提供できる。
【００３４】
また、ノズル部に設けた吹出し孔の周囲に、弾性を有するブラシを設けることで、吹き出し風の風力に加えて、機械的に埃や花粉を払い落とせるため、さらに効率よく除去できる出入り口払い落とし装置を提供できる。
【００３５】
また、ノズル部に櫛部を設け、その櫛部先端または先端側面に吹出し孔を設けることで、頭髪や毛皮・ペットなど毛の長いものの奥に入り込んだ埃や花粉を効率よく除去することができる出入り口払い落とし装置を提供できる。
【００３６】
また、ノズル部に電源スイッチを設けることで、身体に付着した埃や花粉の除去を行なっている際に、手元で操作できるため操作性が良く、また風量切換え、温風切換えスイッチも設けているため、さらに使い勝手の良い出入り口払い落とし装置を提供できる。
【００３７】
また、ノズル部を係止具に係止させた状態で入／切スイッチがＯＦＦ、ノズル部を係止具から外せば入／切スイッチがＯＮになったり、人体検知手段によって人を検知して動作するため、使用時いちいち電源スイッチを入り切りする必要がなく使い勝手の良い出入り口払い落とし装置を提供できる。
【００３８】
また、ノズル部を係止具に係止させた状態で人体検知手段の動作がＯＮ、ノズル部を係止具から外せば人体検知手段の動作がＯＦＦになるため、係止具に係止させた状態でペットなどの身体に付着した埃や花粉を両手で除去する場合は、人体検知手段の自動運転で動作し、係止具から外せば手動によって身体だけでなく多目的に使用できる出入り口払い落とし装置を提供できる。
【００３９】
また、ノズル部の風吹出し部が身体の部位や用途によって自由に交換できるため、埃や花粉を除去したい部位や、他の用途（動物・傘・携帯品などに付着した花粉や埃・ゴミ・水滴）に応じた形の吸込具が自由に選べる使い勝手の良い出入り口払い落とし装置を提供できる。
【００４０】
また、風吹出し部の形状をパイプ状とし、折曲げ自在とすることにより、背中やお尻など見えない、あるいは手が届かない場所の埃や花粉が思うように除去できる出入り口払い落とし装置を提供できる。
【発明を実施するための最良の形態】
【００４１】
本発明の請求項１記載の出入り口払い落とし装置は、ファンモーターを有した送風装置と、吹出し孔を有するノズル部と、前記送風装置と前記ノズル部とを連通させる可とう性を有する送風ダクトを設けたものである。
【００４２】
これにより、風の吹き出し方式となるため、風圧で払い落とす作用により、吸込み方式より高効率で除去性能が高くなり、また屋外に設置するため埃や花粉の舞い上がって飛散を防ぐための大掛かりな吸気口を設ける必要が無く、コンパクトであるため圧迫感を感じたりインテリア性を損なうことを防ぐことができる。
【００４３】
また、本発明の請求項２記載の出入り口払い落とし装置は、送風装置内あるいはノズル部内にヒーターを設けたものである。
【００４４】
これにより、暖かい吹き出し風をつくることができるため、特に冬でも寒さを感じることなく使用することができる。
【００４５】
また、本発明の請求項３記載の出入り口払い落とし装置は、ファンモーターをブラシレスモーターとしたものである。
【００４６】
これにより、モーターのブラシの磨耗によるブラシ（炭素）粉の発生を防ぐことができるため、周囲の空質悪化を防止することができる。
【００４７】
また、本発明の請求項４記載の出入り口払い落とし装置は、送風装置内の流路に集塵フィルターを設けたものである。
【００４８】
これにより、吹き出し風を浄化（埃や花粉を除去）して吹き出すことができ、吹き出し風の風圧によって除去しても、吹き出し風に含まれた埃や花粉が再度身体などに付着することを防ぐことができる。
【００４９】
また、本発明の請求項５記載の出入り口払い落とし装置は、集塵フィルターを送風装置から着脱自在としたものである。
【００５０】
これにより、集塵フィルターが埃や花粉によって目詰まりしても、集塵フィルターの着脱・交換を容易にすることができる。
【００５１】
また、本発明の請求項６記載の出入り口払い落とし装置は、ファンモーターの下流側に集塵フィルターを設けたものである。
【００５２】
これにより、ファンモーターから出たブラシの磨耗によるブラシ（炭素）粉や金属粉を集塵フィルターで除去できるため、ノズルから綺麗な空気を吹き出すことができる。
【００５３】
また、本発明の請求項７記載の出入り口払い落とし装置は、集塵フィルターを、プリーツ状に折りたたんで形成したものである。
【００５４】
これにより、集塵フィルターの集塵面積が増えるため、交換周期の長くすることができる。
【００５５】
また、本発明の請求項８記載の出入り口払い落とし装置は、集塵フィルターを、金属製の網または金属製の多孔性の板で形成したものである。
【００５６】
これにより、集塵フィルターの表面を拭き取ったり洗って再生できるため、集塵フィルターの交換頻度が少なく、ゴミの量も抑えることができる。
【００５７】
また、本発明の請求項９記載の出入り口払い落とし装置は、金属製の網または金属製の多孔性の板からなる集塵フィルターの目または孔の大きさを、１５〜３０マイクロメートルの大きさに形成したものである。
【００５８】
これにより、集塵フィルターの目または孔の大きさを、花粉の大きさより少し小さい大きさに形成することで、極力圧損を減らしても的確に花粉を除去することができる。
【００５９】
また、本発明の請求項１０記載の出入り口払い落とし装置は、ノズル部に設けた吹出し孔の周囲に、弾性を有するブラシを設けたものである。
【００６０】
これにより、吹き出し風の風力に加えて、ブラシによって機械的に埃や花粉を払い落とせるため、さらに効率よく除去することができる。
【００６１】
また、本発明の請求項１１記載の出入り口払い落とし装置は、ノズル部に櫛部を設け、その先端または先端側面に吹出し孔を設けたものである。
【００６２】
これにより、ノズル部の櫛部を頭髪や毛皮・ペットなど毛の長いものに当てることにより、毛の中に入り込んだ埃や花粉も効率よく除去することができる。
【００６３】
また、本発明の請求項１２記載の出入り口払い落とし装置は、ノズル部に、電源スイッチ・風量可変スイッチの両方、またはいずれか単独で設けたものである。
【００６４】
これにより、電源入／切、風量切換えの操作が手元でできるため、操作性や利便性を向上させることができる。
【００６５】
また、本発明の請求項１３記載の出入り口払い落とし装置は、ノズル部に入／切スイッチを設け、壁または前記送風装置に取り付けられた係止具に前記ノズル部を係止可能とし、このノズル部を前記係止具に着脱させることにより前記入／切スイッチがＯＮ／ＯＦＦできるものである。
【００６６】
これにより、ノズル部を係止具に係止させた状態で入／切スイッチがＯＦＦ、ノズル部を係止具から外せば入／切スイッチがＯＮになるため、使用時いちいち電源スイッチを入り切りする必要がなく、使い勝手を良くすることができる。
【００６７】
また、本発明の請求項１４記載の出入り口払い落とし装置は、ノズル部に人体検知手段を設けたものである。
【００６８】
これにより、人を検知した段階で動作するため、使用時いちいち電源スイッチを入り切りする必要がなく、使い勝手を良くすることができる。
【００６９】
また、本発明の請求項１５記載の出入り口払い落とし装置は、ノズル部にセンサースイッチを設け、壁または前記送風装置に取り付けられた係止具に前記ノズル部を係止可能とし、このノズル部を前記係止具に着脱させることにより前記センサースイッチが切り換わり、自動運転と手動運転が切り換わるものである。
【００７０】
これにより、ノズル部を係止具に係止させた状態でセンサースイッチがＯＮ、ノズル部を係止具から外せばセンサースイッチがＯＦＦになるため、係止具に係止させた状態で両手を使って身体に付着した埃や花粉を払い落とす場合は、人体検知手段の自動運転で動作し、係止具から外せば手動によって身体だけでなく多目的に使用できる。
【００７１】
また、本発明の請求項１６記載の出入り口払い落とし装置は、風吹出し部を着脱自在とし、用途によって色々な風吹出し部形状を選択できるものである。
【００７２】
これにより、ノズル部の風吹出し部が身体の部位や用途によって自由に交換できるため、埃や花粉を除去したい部位や、他の用途（動物・傘・携帯品などに付着した花粉や埃・ゴミ・水滴）に応じた形の吸込具が自由に選べ、使い勝手を良くすることができる。
【００７３】
また、本発明の請求項１７記載の出入り口払い落とし装置は、風吹出し部の形状をパイプ状とし、表面に複数の吹出し孔を長さ方向に列状に設けるとともに折曲げ自在としたものである。
【００７４】
これにより、折曲げ自在とすることにより、背中やお尻など見えない、あるいは手が届かない場所の埃や花粉が思うように除去することができる。
【００７５】
以下、本発明の実施の形態について図面を参照しながら説明する。
【００７６】
（実施の形態１）
図１〜図５を用いて、本実施の形態による出入り口払い落とし装置について説明をおこなう。
【００７７】
図１は出入り口払い落とし装置１を設置した出入り口（玄関）４の斜視図、図２は同装置の縦断面図、図３は本体取っ手部２０を持って持ち運ぶ状態を示す図、図４は出入り口（玄関）４で出入り口床７の土や水滴を吹き飛ばしている様子を示す図、図５は傘４３の水滴を吹き飛ばしている様子を示す図である。
【００７８】
出入り口払い落とし装置１を設置した出入り口（玄関）４について、図１を用いて説明する。
【００７９】
出入り口（玄関）４は、屋根３を有する家２の壁６面に家２の中に出入りできる玄関ドア５と、一段踏み上がる出入り口床７を設けて構成している。この出入り口（玄関）４の壁６面に出入り口払い落とし装置１が設置されている。
【００８０】
次に、出入り口払い落とし装置１について図２を用いて説明する。
【００８１】
出入り口（玄関）４に設置された出入り口払い落とし装置１は、主に、風を発生させる送風装置８と、この送風装置８で発生した風を送風する可とう性のある送風ダクト２３と、この送風ダクト２３の先端に設けた風を吹き出すノズル部２８で構成されている。送風装置８内には、風をつくり出すファンモーター１０と電装部品を制御する制御回路１２を設け、これらは外郭ケース９で覆われている。送風装置８下面には、風のもとになる空気を取り込む吸込口１５を設け、この吸込口１５には取り込む空気を清浄するプリフィルター１６が備えられている。また、同じく送風装置８下部には、送風装置８と送風ダクト２３を接続して連通させるダクト接続部２４を有している。このため、送風ダクト２３はＵ字型に垂れ下がったトラップ部２５を形成することとなる。
【００８２】
また、送風ダクト２３のもう片方の一端にはノズル部２８を設け、このノズル部２８には手２２で握るためのノズル取っ手部３２と、風を吹き出す複数の吹出し孔２９を有する風吹出し部３０を設け、内部風路には送風空気を加熱し温風にするヒーターユニット３１を備え、ノズル取っ手部３２表面には、電源を入／切できる電源スイッチ３６と、吹出し孔２９から吹き出す風の強さを変えることができる風量可変スイッチ３４と、温風の入／切できる温風スイッチ３５を設けている。
【００８３】
送風装置８の設置は、送風装置８背面に設けた本体引っ掛け部１４を、壁６に取り付けた壁掛け金具１３に引っ掛けて壁６に固定されているが、用途によっては本体取っ手部２０を持って引き上げ、送風装置８を壁掛け金具１３から外すことができる。
【００８４】
上記構成により、ノズル取って部３２の電源スイッチ３６を押すと、送風装置８のファンモーター１０が動作し、空気が高圧の風となって送風ダクト２３を通り、ノズル取っ手部３２に送られる。風は、ノズル取って部３２内風路のヒーターユニット３１により暖められて温風となる。温風になった高圧の風は、ノズル部２８の風吹出し部３０に送られ、複数の吹出し孔２９から高速風が吹き出される。このとき、ヒーターユニット３１がノズル部２８にあるため、電源スイッチ３６を押すと、ヒーターユニット３１で暖められた空気がすぐに吹出し孔２９から吹き出されるため、使用者が寒い思いをすることはない。また、吸気は、送風装置８の吸込口１５から吸い込まれ、吸込口１５のプリフィルター１６によって水気や埃・ゴミを除去し、きれいな空気を送風装置８内に取り込む。また、ノズル部２８の風量可変スイッチ３４と温風スイッチ３５により、風量を強めたり弱めたり、ヒーターユニット３１をコントロールすることにより、用途や使用部位、季節によって自由に手元で温度を調整できる。これら電気部品は、制御回路１２によって制御される。
【００８５】
また、この出入り口払い落とし装置１は、図３に示すように送風装置８の本体取っ手部２０を持って上に引き上げることにより、出入り口（玄関）４の壁６に固定された壁掛け金具１３から送風装置８の本体引っ掛け部１４が外れ、自由に好きな場所に持ち運べる。また、送風装置８と送風ダクト２３が接続されているダクト接続部２４は、送風ダクト２３の底部に設け、送風ダクト２３が垂れ下がってＵ字となりトラップ部２５を形成する。
【００８６】
これにより、ゴミや水が吹出し孔２９から侵入しても、送風ダクト２３のトラップ部２５に溜まって送風装置８内へ侵入することを防ぐことができる。
【００８７】
なお、本実施の形態では、ヒーターユニット３１の位置は、ノズル部２８のノズル取っ手部３２でなくても、風吹出し部３０や送風ダクト２３内など、吹出し孔２９の近傍であれば効果は同じである。
【００８８】
また、送風ダクト２３のトラップ部２５について、送風装置８の底にタンク状の液溜めを設けても効果は同じである。
【００８９】
また、ヒーターユニット３１にＰＴＣヒーター３１Ａを使用すると、ＰＴＣヒーター３１Ａは半導体ヒーターであり、ある一定の温度以上上昇しない特性を持っているため、安定した温度制御ができ、エネルギーロスを少なくすることができる。
【００９０】
また、送風装置８のファンモーター１０を、内部を風が流れるブロアモーターとすることで、ブロアモーターの回転で発熱した熱を内部に流れる空気によって回収するため、熱回収効率を高め、エネルギーロスを少なくできる。
【００９１】
また、ファンモーター１０をＤＣ駆動などのブラシレスモーター１０Ａとすることにより、ファンモーター１０のブラシの磨耗によるブラシ（炭素）粉の発生を防ぐことができるため、周囲の空質悪化を防止することができる。
【００９２】
また、図４のように出入り口（玄関）４内側外側の出入り口床７に、靴の裏に付いて上がった土や水を吹き飛ばして掃除することにも利用できる。
【００９３】
また、この出入り口払い落とし装置１は、図５のように出入り口（玄関）４外側で雨に濡れた傘４３やレインコートを高速風あるいは高速温風で水滴を除去させることができるため、水滴を家２内に持ち込み床を塗らすことを防ぐことができる。
【００９４】
また、図２および図６に示すように、送風装置８内のファンモーター１０下流側流路に集塵フィルター１７を設け、この集塵フィルター１７はフィルターケース１８で外周を保持され、このフィルターケース１８には手で掴みやすいようにケース取っ手１９を設け、本体の外殻ケース９に設けられたケース挿入穴２１から自在に出し入れできるようになっている。
【００９５】
上記構成により、ノズル部２８の電源スイッチ３６を押すと、送風装置８のファンモーター１０が動作し、送風装置８の吸込口１５から吸気され、吸込口１５のプリフィルター１６によって比較的大きな粒子の水気や埃・ゴミを除去して送風装置８内に取り込まれる。
【００９６】
そして、送風装置８内のファンモーター１０下流側流路に設けたＨＥＰＡフィルターなどの高性能や中性能の集塵フィルター１７によって、小さな粒子の水気や埃・ゴミを除去してきれいな空気をノズル部２８から吹き出すことができる。そのため、吹き出し風に含まれた埃や花粉が身体などに再度付着することを防ぐことができる。
【００９７】
また、集塵フィルター１７をプリーツ状に折りたたんで形成することで、集塵フィルター１７の集塵面積を増え、通過風速を低減させることができるため、集塵性能や寿命を改善することができる。
【００９８】
また、集塵フィルター１７を、金属製の網または金属製の多孔性の板で形成することで、集塵フィルター１７の表面を拭き取ったり洗って再生できるため、集塵フィルター１７の交換頻度が少なく、ゴミの量も抑えることができる。
【００９９】
また、金属製の網または金属製の多孔性の板からなる集塵フィルター１７の目または孔の大きさを、花粉の大きさより少し小さい１５〜３０マイクロメートルの大きさに形成することで、極力圧損を減らしても的確に花粉を除去することができる。
【０１００】
（実施の形態２）
図７は、吹出し孔２９周辺に弾性を有するブラシ４４を設けた状態を示す斜視図、図８は、同じく吹出し孔２９周辺に弾性を有するブラシ４４を設けた状態を示す正面図、図９は風吹出し部に櫛部４５を設け、この櫛部４５の先端に吹出し孔２９の設けた状態を示す斜視図であり、実施の形態１と同じ部分については同一の符号を用い、それらについての説明を省略する。
【０１０１】
実施の形態３は実施の形態１に対して図７および図８に示すように、ノズル部２８に設けた吹出し孔２９の周囲に、弾性を有するブラシ４４を設けたものである。
【０１０２】
上記構成により、吹き出し風の風力に加えて、ブラシ４４によって機械的に埃や花粉を払い落とせるため、さらに効率よく除去することができる。
【０１０３】
また、図９に示すようにノズル部２８に櫛部４５を設け、その先端または先端側面に吹出し孔２９を設けることにより、ノズル部２８の櫛部４５を頭髪や毛皮・ペットなど毛の長いものに当てることにより、毛の中に入り込んだ埃や花粉も効率よく除去することができる。
【０１０４】
（実施の形態３）
図１０は、ノズル部２８周辺の詳細図で、ノズル部２８に電源スイッチ３６と風量可変スイッチ３４を設け、係止具２６と入／切スイッチ３８の関係を示す斜視図であり、実施の形態１と同じ部分については同一の符号を用い、それらについての説明を省略する。
【０１０５】
実施の形態４は実施の形態１に対して図１０に示すように、ノズル部２８のノズル取っ手部３２に、電源スイッチ３６と風量可変スイッチ３４を設け、ノズル部２８は、壁６または送風装置８に取り付けられたノズル部２８を支持するための係止具２６に係止可能とし、この係止具２６の内側には係止具凸部２７を設けている。ノズル部２８にはノズル部２８を係止具２６に係止させる係止具凸部２７が嵌まり込むスイッチ溝３７を設けており、このスイッチ溝３７の中には、電源を入／切できる入／切スイッチ３８を設けたものである。
【０１０６】
上記構成により、電源入／切、風量切換えの操作が手元でできるため、操作性や利便性を向上させることができ、また、使用しない状態の時、すなわち係止具２６にノズル部２８を係止させた状態では、ノズル部２８のスイッチ溝３７に係止具２６の係止具凸部２７が嵌まり込み、このスイッチ溝３７の中の入／切スイッチ３８が押され、電源がＯＦＦ状態になっている。また、使用する時、すなわち係止具２６からノズル部２８を取り外した状態では、スイッチ溝３７の中の入／切スイッチ３８を押していた係止具２６の係止具凸部２７が外れて、電源がＯＮ状態になる。電源がＯＮ状態になると、ファンモーター１０が動作し、ノズル部２８の風吹出し部３０から温風が吹き出し、また、ノズル部２８にある風量を可変する風量可変スイッチ３４や風の温度を調整できる温風スイッチ２５も自由に切り換えができることとなる。
【０１０７】
なお、本実施例では、入／切スイッチ３８はノズル部２８に設けたが、係止具２６側に設けても効果は同じである。
【０１０８】
（実施の形態４）
図１１は、ノズル部２８の詳細図で、ノズル部２８に人体検知手段３３を設け、係止具２６とセンサースイッチ３９と人体検知手段３３の関係を示す斜視図であり、実施の形態１と同じ部分については同一の符号を用い、それらについての説明を省略する。
【０１０９】
実施の形態４は実施の形態１に対して図１１に示すように、ノズル部２８に人体検知手段３３を設け、ノズル部２８は、壁６または送風装置８に取り付けられたノズル部２８を支持するための係止具２６に係止可能とし、この係止具２６の内側には係止具凸部２７を設けている。ノズル部２８にはノズル部２８を係止具２６に係止させる係止具凸部２７が嵌まり込むスイッチ溝３７を設けており、このスイッチ溝３７の中には、人体検知手段３３での動作を切り換えできるセンサースイッチ３９を設けている。これにより、ノズル部２８を係止具２６に係止させるとセンサースイッチ３９により人体検知手段３３が動作状態となって自動運転でき、逆に係止具２６からノズル部２８を取り外すと人体検知手段３３が停止状態となって手動運転に切り換わるものである。
【０１１０】
上記構成により、ノズル部２８に人が近づくだけで、例えば赤外線センサーのような人体検知手段３３が働いて自動的に電源が入り、送風装置８が動作し、ノズル部２８の吹出し孔２９から高速風が吹出して身体に付着した埃や花粉を除去する。また、逆に使用後、離れるだけで電源がＯＦＦ状態となるため、いちいち電源スイッチ３６を入り切りする必要がなく、使い勝手を良くすることができる。
【０１１１】
また、ノズル部２８を手で持たずに使用する時、すなわち係止具２６にノズル部２８を係止させた状態では、ノズル部２８のスイッチ溝３７に係止具２６の係止具凸部２７が嵌まり込み、このスイッチ溝３７の中のセンサースイッチ３９が押され、人体検知手段３３がＯＮ状態になっている。人体検知手段３３がＯＮ状態になると、ノズル部２８に人が近づくと自動的に送風装置８のファンモーター１０が動作し、ノズル部２８の風吹出し部３０から温風が吹き出し、例えば頭髪などを乾かす際など両手で髪型を整えながらしずく除去や乾燥ができる。また、ノズル部２８を手で持って使用する時、すなわち係止具２６からノズル部２８を取り外した状態では、スイッチ溝３７の中のセンサースイッチ３９を押していた係止具２６の係止具凸部２７が外れて、人体検知手段３３がＯＦＦ状態になる。これにより、人体検知手段３３での自動運転が解除されるため、ノズル部２８にある電源スイッチ３６を手動で入れることにより、身体だけでなく、自由に多目的用途に連続的に使用できることとなる。
【０１１２】
なお、本実施例では、センサースイッチ３９はノズル部２８に設けたが、係止具２６側に設けても効果は同じである。
【０１１３】
（実施の形態５）
図１２は、同装置のノズル部２８の詳細図で、風吹出し部３０の取り換え着脱を示す斜視図であり、実施の形態１と同じ部分については同一の符号を用い、それらについての説明を省略する。
【０１１４】
実施の形態８は実施の形態１に対して図１２に示すように、ノズル取っ手部３２の先端に設けたノズル差込部４１と、風吹出し部３０にはノズル差込部４１が接続できるノズル差込穴４０を設けることにより、吹出し孔２９を有する風吹出し部３０を着脱自在としている。また用途により、例えばノズル差込部４１に風吹出し部３０Ａのノズル差込穴４０Ａを嵌め込むことにより、吹出し孔２９Ａを有する風吹出し部３０Ａのような形状のノズル部２８Ａを選択できるものである。
【０１１５】
上記構成により、ノズル取っ手部３２の先端に設けたノズル差込部４１を風吹出し部３０のノズル差込穴４０から引き抜くと、ノズル取っ手部３２と風吹出し部３０が分離し、風吹出し部３０の代わりに別の形状の風吹出し部３０Ａを取り付けることができる。このように、ノズル部２８の風吹出し部３０が身体４２の部位や用途によって自由に交換できるため、埃や花粉を除去したい部位や、他の用途（動物・傘・携帯品などに付着した花粉や埃・ゴミ・水滴）に適した形のノズル部２８が自由に選択でき、使い勝手を良くすることができる。
【０１１６】
なお、ノズル差込部４１に風吹出し部３０Ａのノズル差込穴４０Ａを嵌め込むことにより、風吹出し部３０の交換ができるようにしたが、この構成でなくても、逆に風吹出し部３０Ａ側をノズル取っ手部３２側に差し込んだり、他の類似の接続方法であっても効果は同じである。
【０１１７】
（実施の形態６）
図１３は、ノズル部２８Ｂの詳細図で、折り曲げ自在な風吹出し部３０Ｂと身体４２の関係を示す平面図であり、実施の形態１と同じ部分については同一の符号を用い、それらについての説明を省略する。
【０１１８】
実施の形態９は実施の形態１に対して図１３に示すように、風吹出し部３０Ｂの形状をパイプ状とし、表面に複数の吹出し孔２９Ｂを長さ方向に列状に設けるとともに折曲げ自在としたものである。
【０１１９】
上記構成により、風吹出し部３０Ｂは、例えば蛇腹状などの構造的に可とう性のあるパイプや、銅やアルミニウムなどの材質的に柔らかいパイプでありながら、折曲げ自在で、その折り曲げた形状で保持できる。そのため、例えば手が届かなくて見えない背中やお尻などのしずくを除去させて乾燥させようとした場合、一度その部位の形状に合わせて風吹出し部３０Ｂを折り曲げて整形する。このとき、風吹出し部３０Ｂの表面の複数の吹出し孔２９Ｂが身体方向に向くように整形しておく。そして、人体検知手段３３や電源スイッチ３６によって電源が入ると、送風装置８のファンモーター１０が動作し、ノズル部２８Ｂの風吹出し部３０Ｂから風が吹き出すが、このとき、ゆっくりノズル部２８Ｂを身体４２に沿って上下させることにより、ムラなく身体４２のしずく除去や乾燥ができることとなる。
【０１２０】
なお、風吹出し部３０Ｂの形状をパイプ状としたが、パイプ状でなくても四角や丸などの形状であっても形状が自由に手で成型できるものであれば、効果は同じである。
【０１２１】
上記構成により、風吹出し部の形状をパイプ状とし、表面に複数の吹出し孔２９Ｂを長さ方向に列状に設けるとともに折曲げ自在としたものである。
【０１２２】
これにより、折曲げ自在とすることにより、背中やお尻など見えない、あるいは手が届かない場所の埃や花粉が思うように除去することができる。
【産業上の利用可能性】
【０１２３】
本発明の出入り口払い落とし装置は、一般家庭・マンション・ビルなどの出入り口（玄関）において、傘やレインコートに付着した水滴、玄関床の土や水滴の除去の分野においても適用できる。
【図面の簡単な説明】
【０１２４】
【図１】本発明の実施の形態１の出入り口払い落とし装置を設置した出入り口（玄関）の斜視図
【図２】同出入り口払い落とし装置の構成図
【図３】同出入り口払い落とし装置の送風装置の本体取っ手部を握って持ち運んでいる状態を示す斜視図
【図４】同出入り口払い落とし装置を使って、出入り口床の土や水滴を吹き飛ばしている様子を示す斜視図
【図５】同出入り口払い落とし装置を使って、傘の水滴を吹き飛ばしている様子を示す斜視図
【図６】同出入り口払い落とし装置の集塵フィルターを交換する様子を示す斜視図
【図７】本発明の実施の形態２の出入り口払い落とし装置の吹出し孔周辺にブラシを設けた様子を示す斜視図
【図８】同出入り口払い落とし装置の吹出し孔周辺にブラシを設けた様子を正面から見た正面図
【図９】同出入り口払い落とし装置の風吹出し部の櫛部と吹出し孔の位置関係を示す斜視図
【図１０】本発明の実施の形態３の出入り口払い落とし装置の係止具と入／切スイッチの関係を示す斜視図
【図１１】本発明の実施の形態４の出入り口払い落とし装置の係止具とセンサースイッチと人体検知手段の関係を示す斜視図
【図１２】本発明の実施の形態５の出入り口払い落とし装置の風吹出し部の取り換え着脱を示す斜視図
【図１３】本発明の実施の形態６の出入り口払い落とし装置の折り曲げ自在な風吹出し部と身体の関係を示す平面図
【図１４】従来の出入り口払い落とし装置の正面図
【図１５】同出入り口払い落とし装置の断面図
【符号の説明】
【０１２５】
１      出入り口払い落とし装置
８      送風装置
１０Ａ  ブラシレスモーター
１７    集塵フィルター
２３    送風ダクト
２６    係止具
２８    ノズル部
２８Ａ  ノズル部
２８Ｂ  ノズル部
２９    吹出し孔
２９Ａ  吹出し孔
２９Ｂ  吹出し孔
３０    風吹出し部
３０Ａ  風吹出し部
３０Ｂ  風吹出し部
３１    ヒーターユニット
３３    人体検知手段
３４    風量可変スイッチ
３６    電源スイッチ
３８    入／切スイッチ
３９    センサースイッチ
４４    ブラシ
４５    櫛部
【図１】
2007275836.tif 000003
【図２】
2007275836.tif 000004
【図３】
2007275836.tif 000005
【図４】
2007275836.tif 000006
【図５】
2007275836.tif 000007
【図６】
2007275836.tif 000008
【図７】
2007275836.tif 000009
【図８】
2007275836.tif 000010
【図９】
2007275836.tif 000011
【図１０】
2007275836.tif 000012
【図１１】
2007275836.tif 000013
【図１２】
2007275836.tif 000014
【図１３】
2007275836.tif 000015
【図１４】
2007275836.tif 000016
【図１５】
2007275836.tif 000017